(57)【要約】      （修正有）【課題】書籍等のページめくり押えをスムーズに且つ容易に保持することが出来、構造が簡単で軽量で安価にでき、書籍厚の対応にも優れ、装着のまま携帯可能なページ押え具を提供する。【解決手段】弾性力を有する針金材を成形加工するなどして、書籍等の見開きの一方側のページを狭持し得るクリップ体１０に、前記狭持したページに重なるべき見開きページを順次保持しべく、ページ押え部２２を芯に渦巻状に成したページ保持体２０を形成する。クリップ体１０は内輪部と外輪部とで書籍の表紙等を狭持する。ページ保持体２０はクリップ体１０を交差して形成されているためページ押え部２２には大きな弾性力を得ることが出来、書籍厚にも対応できるページ押え具とする。【選択図】図１
0003166754.tif 000002
【実用新案登録請求の範囲】
【請求項１】
弾性力を有する線材を用い、クリップ体とページ保持体とを接合して構成され、ページ保持体は、クリップ体の第２の反転円弧部の内側を通すことで、立体交差させるようにしたことを特徴とするページ押え具。
【請求項２】
クリップ体とページ保持体に接合部を有さず、弾性力を有する線材にて一体形成としたことを特徴とする請求項１記載のページ押え具。
【請求項３】
ページ押え部の第１のＲ部先端を、書籍のページ面に対して垂直方向に曲げて形成したことを特徴とする請求項１または２に記載のページ押え具。
【考案の詳細な説明】
【技術分野】
【０００１】
本考案は、書籍等のページを押えて保持することができ、そのまま閉じればしおりの役目も備えた携帯可能なページ押え具に関する。
【背景技術】
【０００２】
従来より、書籍等において、めくったページを保持するために用いられるページ押え具としては、数多く提案されている。例えば、滑り止めの付いたアーチ形状の文鎮式のもの。見開きページを挟み込むため、例えば洗濯バサミに重しを付けたもの、または開いたページのノド部を中心に挟み込むＸ字型のものなどが、特許文献１〜６に記載されている。
【先行技術文献】
【特許文献】
【０００３】
【特許文献１】特開平８−２５２９９２号
【特許文献２】特開平１０−３５１４４号
【特許文献３】特開２００１−３５３９８４号
【特許文献４】特開２００１−８０２４３号
【特許文献５】実用新案登録第３０３６７２３号
【特許文献６】実用新案登録第３１６０１８９号
【考案の概要】
【考案が解決しようとする課題】
【０００４】
しかしながら、ページをめくった後の操作性に難があったり、書籍の厚さの違いに対する保持力等の信頼度に不安が残ったり、構造や加工性で価格が高価になるなどの問題があった。又、いずれもページ押え具を装着した状態で、書籍等を手で持ち歩くことや、読み終わらない途中の段階でそのまま綴じたり、開いたりするには困難が伴うものであった。
【０００５】
本考案は、このような問題に基づきなされたものであり、開いた書籍等のページをスムーズに且つ容易に保持出来、書籍の厚さの違いにも柔軟に対応でき、構造が簡易式であり、且つ軽量で安価に製作が可能であり、本考案を装着したまま、手持ち読みができ、読んでいる途中でそのまま書籍を綴じることが出来ると同時に、しおりの役目にもなり、装着後の大きさが書籍とほぼ変わらず、携帯性に優れ利便性の高いページ押え具を提供することを課題とする。
【課題を解決するための手段】
【０００６】
前術のような課題を解決するため本考案は次のような構成とした。すなわち、本考案は、書籍等のページを押え保持するためのページ押え具であって、弾性力を有する針金等の線材を成形加工するなどして、書籍等の見開きの一方側のページを狭持し得るクリップ体に、前記狭持したページに重ねるべき見開きページを順次保持し、ページ押え部を芯に渦巻状に成したページ保持体を設けており、ページ押え部と渦巻き形状部分が弾性変形することを特徴とするページ押え具である。
【０００７】
また、本考案は、前記クリップ体を構成する線材がページ保持体を構成する線材と立体交差することを特徴としている。すなわち、ページ保持体の第３のＲ部とクリップ体の第２の反転円弧部とを立体交差させることによって、第２の交点部を支点として、テコの原理が応用されページ押え部は大きな弾性を得ることが出来るよう構成されている。
【０００８】
また、本考案は、前記ページ保持体が形成する面の中で、ページ押え部のみは他面より僅かながら滑らかに突出するように形成されており、ページの捲り出しや差し込みが容易にできるよう配設されている。
【考案の効果】
【０００９】
本考案の、ページ押え具によれば、クリップ体が挟持したページに重なるべき見開きページを、ページ保持体のページ押え部は順次保持するために弾性変形する。そこで、前記クリップ体を構成する線材がページ保持体を構成する線材と立体交差することにより、テコの応用でページ押え部には大きな弾性力を得ることが出来、書籍の厚さの違いにも十分対応できる。
【００１０】
特に、前記ページ保持体が形成する面の中で、ページ押え部のみは他面より僅かながら滑らかに突出するように形成されているため、ページ面を損傷させることなく、ページの捲り出しや滑り込みがスムーズに且つ容易にでき、利便性を高めることができる。
【００１１】
また、本考案にあっては、クリップ体は書籍等の見開きの一方側のページの表紙などを挟持し、一方、ページ保持体は前記挟持したページに重なるべき見開きページ層の上にあるので、そのまま見開きページを綴じた場合、ページ押え具は隠れてしまうので、書籍等よりはみ出る部分は少なく邪魔になることがない。またクリップ体およびページ保持体は細い針金等の線材を成形加工したもので、軽量であり且つ厚みに対する影響は少ないので、本考案を装着したまま書籍を綴じて携帯することも可能である。従って、気軽にバック等に入れて電車の中でも何処でも片手でも読書することが出来る。
【００１２】
また、本考案のページ押え具は、クリップ体の構成として長手方向の大きさは、書籍のヨコ大きさの中間ぐらいが好ましく、また内輪部と外輪部の直線部の位置は離れた方が挟持したページ面の湾曲を抑えられ、ページ面に張りを持たせることができる。また、本考案は同じものを左右に使用することが出来、同じ見開きページに装着して綴じてもページ押え部どうしは干渉することなく、しおりの役目をしながら、書棚にもコンパクトに収めることができる。
【００１３】
また、本考案にあっては、読書の際、ページ押え部が見開きページの不都合な位置にあるときは、クリップ体の素材は丸断面形状なので、挟持したページ面を損傷させることなく、自由な位置に移動させることができる。
【図面の簡単な説明】
【００１４】
【図１】本考案のページ押え具の構成を表す図
【図２】本考案のページ押え具を左側の頁に狭持した状態を表す図
【図３】本考案のページ押え具を右側の頁に狭持した状態を表す図
【図４】本考案のページ押え具を左右側に狭持した状態を表す図
【図５】本考案のページ押え具を移動調整した状態を表す図
【図６】図３の状態から書籍を綴じた状態を表す図
【図７】第２のＲ部をアーチ状に構成しページの抜き差しを示す一例の斜視図
【図８】図７に続く動作を表す図
【図９】本考案のページ押え具のクリップ体を薄板物で構成した一例の斜視図
【図１０】本考案のページ押え具を一体構成とした一例の斜視図
【考案を実施するための形態】
【００１５】
以下、本考案の実施の形態について図面を参照して詳細に説明する。
【実施例】
【００１６】
図１は本考案のページ押え具の構成を表すものであり、図２及び図３はページ押え具を書籍の見開き一方側のページに狭持した状態を表す図である。このページ押え具は、弾性力を有する針金材を成形加工して、書籍等の見開き時の一方側のページを狭持し得るクリップ体１０に、前記狭持したページに重ねてゆくページを順次保持するページ保持体２０で構成され、ページ保持体２０はアーチ状に形成され、先端部を渦巻き状に丸めた、ページ押え部２２を備えている。
【００１７】
クリップ体１０は、直径１．２〜２．０ｍｍ程度の弾性力を有する針金材を内輪部として、第１の直線部１１と第１の反転円弧部１２と第２の直線部１３とで構成され、第２の反転円弧部１４を設けた後に、外輪部として、第３の直線部１５と第３の反転円弧部１６と第４の直線部１７とで構成される。第２の反転円弧部１４は第１の反転円弧部１２より２倍近く大きくし、また第３の反転円弧部１６は第１の反転円弧部１２より３倍近く大きくすることが望ましい。また第２の反転円弧部１４は見開きページを狭持しやすく、また狭持面の判別になるよう若干傾斜を設けている。そして外輪部の第４の直線部１７にはページ保持体２０を接合するための接合部２６を設けている。
【００１８】
ページ保持体２０は直径１．０〜１．２ｍｍ程度の弾性力を有する針金材で、クリップ体１０との接合部２６から、略９０度に曲げた第４のＲ部と、第３のＲ部２４と第２のＲ部２３によりアーチ状に形成され、先端部を渦巻き状に丸めた第１のＲ部を設けたページ押え部２２を備えている。また、第２のＲ部２３は、書籍のページ面に対して垂直方向に若干アーチ状に曲げてもよい。これによりページの抜き差しが容易となる。図７は第２のＲ部をアーチ状に構成しページの抜き差しを示す一例の斜視図である。
ページ保持体２０は、クリップ体１０の第２の反転円弧部１４の内側を通すことで、立体交差させるように構成する。この構成は、本考案における大きな特徴である。これにより、ページ保持体２０のページ押え部２２には、第１の交点部２７と第２の交点部２８により、第２の交点部２８を支点としたテコの原理により、大きな弾性力を得ることが可能となる。
【００１９】
ページ押え部２２の第１のＲ部先端を、書籍のページ面に対して垂直方向に若干曲げることで、ページの差込及び捲り出しが容易となり、書籍のページを損傷することも防止できる。前記先端の曲げ角度は、大きいと書籍を閉じたときに書籍にキズや痕が残り易くなり、小さいとページの差込及び捲り出しがし難くなるため、書籍のページ面から０．５ｍｍから１．０ｍｍ程度浮かすくらいが望ましい。
【００２０】
直径１．２〜２．０ｍｍ程度の弾性力を有する針金材の断面形状は、円形でも楕円形でもよく、角が鋭角なもの以外であればよい。素材は金属製が望ましいが、樹脂製でもよく、金属の表面を樹脂で覆ったものでもよく、これに限定するものではない。
【００２１】
図４はページ押え具を左右側に狭持した状態を表す図である。クリップ体１０は始めに、書籍等の表紙を狭持し、ページ保持体２０のページ押え部２２はページに重なるべき見開きページ層の上に位置する。ページ押え部２２には、前述した第２の交点部２８を支点としたテコの原理によって大きな弾性を得ることが出来、従って書籍厚の違いがあっても、ページの保持力を保ち様々な書籍に適応可能な構成となっている。
【００２２】
図５はページ押え部２２がページ面上で不具合の箇所に位置している場合、クリップ体１０は内輪部と外輪部にある間隔を変えることで、保持力の調整が可能となり、間隔を広げて弱めに設定することで、クリップ体１０を適した位置に移動することができる。
【００２３】
図６はページ押え具を書籍に装着したまま、書籍を綴じた状態を表す図である。クリップ体１０の外輪部は図３の如く見開きページ側に位置して表紙を狭持しているため、クリップ体の内輪部は書籍の外面に位置することになる。しかし表紙に重なるべき見開きページの数ページだけを狭持した場合は、内輪部は書籍の外面には表れない。よって、ページ押え部２２はしおりの役目を果たしながら、そのまま書棚に保管または携帯が容易にできるため、利便性を向上させることができる。
【００２４】
図７、８はページ押え具の動作を表すものである。図７は書籍の見開きページを捲り出す状態を表している。図８は書籍の見開きページを差し込み、押える状態を表している。ページ保持体が形成する面の中で、ページ押え部２２のみは他面より僅かながら滑らかに突出するように形成されている。そのため見開きページの捲り出し、またはページ押えがスムーズに且つ容易に行うことができる。また図８のように見開きページを斜め下側に滑り込ませるように行えば、ページ短辺の損傷を防ぐことが出来る。
【００２５】
図９は参考として、図１に示したページ押え具のクリップ体１０を薄板物で構成したものを表した図である。薄板物でのクリップ体では図５に示したように手操作で少し移動させる際、狭持された書籍を傷める危険性があるため、クリップ体の素材の断面は丸形状が好ましい。
【００２６】
図１０はページ押え具の構成をクリップ体１０と、ページ保持体２０とを接合せず、線材で一体形成とした場合の斜視図である。ページ保持体２０のＲ形状や曲げ角度、及びクリップ体１０の内輪部と外輪部の間隔や角度を、ある程度自由に調整することが可能であり、書籍や用途に合わせ、適した弾性力で利用することができる。線材は金属製が望ましいが、樹脂製等これに限定するものではない。
【００２７】
以上、実施の形態を挙げて本考案を説明したが、本考案は上記実施の形態に限定されるものではなく、種々変形可能である。例えば、上記実施の形態では、クリップ体の形状を具体的に説明したが、書籍等の見開きページへのしっかりとした狭持がなされ、ページ押え部に十分な弾性が保たれれば、クリップ体とページ保持体の一体化された構成でもよい。またクリップ体を例えば装飾形状とか、他の形状を有してもよい。
【産業上の利用可能性】
【００２８】
本考案のページ押え具は、工業生産が可能である。
【符号の説明】
【００２９】
１０  クリップ体
１１  第１の直線部    (内輪部)
１２  第１の反転円弧部(内輪部)
１３  第２の直線部    (内輪部)
１４  第２の反転円弧部
１５  第３の直線部    (外輪部)
１６  第３の反転円弧部(外輪部)
１７  第４の直線部    (外輪部)
２０  ページ保持体
２１  第１のＲ部
２２  ページ押え部
２３  第２のＲ部
２４  第３のＲ部
２５  第４のＲ部
２６  接合部
２７  第１の交点部
２８  第２の交点部
【図１】
0003166754.tif 000003
【図２】
0003166754.tif 000004
【図３】
0003166754.tif 000005
【図４】
0003166754.tif 000006
【図５】
0003166754.tif 000007
【図６】
0003166754.tif 000008
【図７】
0003166754.tif 000009
【図８】
0003166754.tif 000010
【図９】
0003166754.tif 000011
【図１０】
0003166754.tif 000012
【手続補正書】
【提出日】平成23年1月14日(2011.1.14)
【手続補正１】
【補正対象書類名】実用新案登録請求の範囲
【補正対象項目名】全文
【補正方法】変更
【補正の内容】
【実用新案登録請求の範囲】
【請求項１】
弾性力を有する線材を用い、内輪部が第１の直線部１１と第１の反転円弧部１２と第２の直線部１３で構成され、前記第２の直線部１３から第２の反転円弧部１４を設け、前記第２の反転円弧部１４から、外輪部である第３の直線部１５と第３の反転円弧部１６と第４の直線部１７とで連続して一体構成されるクリップ体１０と、クリップ体１０との接合部２６から、略９０度に曲げた第４のＲ部２５と、第３のＲ部２４と第２のＲ部２３によりアーチ状に形成され、先端部を渦巻き状に丸めた第１のＲ部を設けたページ押え部２２を備えるページ保持体２０とを前記接合部２６において接合し、ページ保持体２０は、クリップ体１０の第２の反転円弧部１４の内側を通すことを特徴とするページ押え具。
【請求項２】
クリップ体１０とページ保持体２０との接合部を有さず、前記クリップ体１０とページ保持体２０を一体形成としたことを特徴とする請求項１記載のページ押え具。
【請求項３】
ページ押え部２２の第１のＲ部先端を、書籍のページ面に対して垂直方向に曲げて形成したことを特徴とする請求項１または２に記載のページ押え具。
【手続補正２】
【補正対象書類名】明細書
【補正対象項目名】００１７
【補正方法】変更
【補正の内容】
【００１７】
クリップ体１０は、直径１．２〜２．０ｍｍ程度の弾性力を有する針金材を、内側から外側へ渦巻状に連続して一体構成とするもので、内輪部として、第１の直線部１１と第１の反転円弧部１２と第２の直線部１３とで構成され、前記第２の直線部１３から第２の反転円弧部１４を設けた後に、前記第２の反転円弧部１４から外輪部として、第３の直線部１５と第３の反転円弧部１６と第４の直線部１７とで構成される。第２の反転円弧部１４は第１の反転円弧部１２より２倍近く大きくし、また第３の反転円弧部１６は第１の反転円弧部１２より３倍近く大きくすることが望ましい。また第２の反転円弧部１４は見開きページを狭持しやすく、また狭持面の判別になるよう若干傾斜を設けている。そして外輪部の第４の直線部１７にはページ保持体２０を接合するための接合部２６を設けている。